(57)【特許請求の範囲】
【請求項１】
地紋を潜像として印刷する画像形成装置において、
所定の複数の濃度のそれぞれに対応する潜像部ドットパターンと背景部ドットパターンとのパターン組合せを有する地紋パターンデータを記憶する記憶装置と、
前記地紋パターンデータにおける複数の前記パターン組合せから、印刷対象画像に応じた前記パターン組合せを選択する地紋設定部と、
前記地紋設定部により選択された前記パターン組合せによる前記潜像部パターンおよび前記背景部パターンで前記潜像を前記印刷対象画像とともに印刷させる印刷処理部と、
を備え、
前記地紋設定部は、少なくとも前記印刷対象画像内の文字濃度および文字色に基づいて、前記パターン組合せを選択すること、
を特徴とする画像形成装置。
【請求項２】
前記潜像部パターンは、前記濃度が高いほどドット数が多くなり、
前記背景部パターンは、前記濃度が高いほどドットサイズが大きくなること、
を特徴とする請求項１記載の画像形成装置。
【請求項３】
前記地紋パターンデータは、当該画像形成装置において印刷に使用可能な印刷色材の１または複数の色のそれぞれについて、複数の濃度のそれぞれに対応する前記パターン組合せを有することを特徴とする請求項１または請求項２記載の画像形成装置。
【請求項４】
濃度の異なる複数の潜像部ドットパターンのパッチ画像と濃度の異なる複数の背景部ドットパターンのパッチ画像とを印刷用紙に印刷させ、前記印刷用紙に印刷された前記複数の潜像部ドットパターンのパッチ画像と前記複数の背景部ドットパターンのパッチ画像とを画像スキャンさせ、前記画像スキャンにより得られた前記パッチ画像の濃度に基づいて、印刷時に視覚上同一濃度として認識される前記潜像部ドットパターンと前記背景部ドットパターンとのパターン組合せを前記複数の濃度について特定し、特定した複数のパターン組合せを前記地紋パターンデータとする地紋パターンデータ生成部をさらに備えることを特徴とする請求項１から請求項３のうちのいずれか１項記載の画像形成装置。
【請求項５】
地紋を潜像として印刷する地紋印刷方法において、
所定の複数の濃度のそれぞれに対応する潜像部ドットパターンと背景部ドットパターンとのパターン組合せを有する地紋パターンデータにおける複数の前記パターン組合せから、印刷対象画像に応じた前記パターン組合せを選択する地紋設定ステップと、
選択した前記パターン組合せによる前記潜像部パターンおよび前記背景部パターンで前記潜像を前記印刷対象画像とともに印刷するステップと、
を備え、
前記地紋設定ステップでは、少なくとも前記印刷対象画像内の文字濃度および文字色に基づいて、前記パターン組合せを選択すること、
を特徴とする地紋印刷方法。
【発明の詳細な説明】
【技術分野】
【０００１】
本発明は、画像形成装置および地紋印刷方法に関するものである。
【背景技術】
【０００２】
領収書、証券、証明書などの原本には、原本か複写物かを見分けるために、複写すると文字や画像などの地紋が浮き出るように潜像を背景に印刷することがある（例えば、特許文献１〜３参照）。このような地紋は一般に偽造抑止地紋と呼ばれ、不正目的での原本の複写を心理的に抑止する効果がある。
【０００３】
このような潜像を背景に印刷する場合、潜像とそれ以外の背景の一方を、微小ドットのドットパターンで印刷し、他方を大ドットのドットパターンで印刷する。この微小ドットは、複写機の入力解像度および出力解像度でドットが正確に再現されない程度の小ささとされ、この大ドットは、複写機の入力解像度および出力解像度でドットが正確に再現される程度の大きさとされる。これにより、複写物において、微小ドットの一部または全部が抜け落ち大ドットは残るため、潜像が浮かび上がる。
【先行技術文献】
【特許文献】
【０００４】
【特許文献１】特開２００１−１９７２９７号公報
【特許文献２】特開２００５−２３１１４５号公報
【特許文献３】特開２００７−１２９６９４号公報
【発明の概要】
【発明が解決しようとする課題】
【０００５】
上述のように地紋を潜像として印刷する場合、原本における潜像が目立たないようにするために微小ドットの領域の視覚上の平均濃度と大ドットの領域の視覚上の平均濃度との差を十分小さくする必要がある。また、このような地紋を潜像として印刷する対象となる原稿は、文字原稿であることが多い。このため、潜像を含む背景部分が原本上の文字の判読の妨げにならないようにする必要がある。
【０００６】
しかしながら、このような地紋を潜像として一律の濃度や色で印刷すると、印刷対象となる原稿内の文字の色や濃度によっては、潜像を含む背景部分が原本上の文字の判読の妨げになる可能性がある。
【０００７】
本発明は、上記の問題に鑑みてなされたものであり、原本上の文字の判読の妨げにならないように適切な地紋潜像を背景に形成することができる画像形成装置および地紋印刷方法を得ることを目的とする。
【課題を解決するための手段】
【０００８】
上記の課題を解決するために、本発明では以下のようにした。
【０００９】
本発明に係る画像形成装置は、所定の複数の濃度のそれぞれに対応する潜像部ドットパターンと背景部ドットパターンとのパターン組合せを有する地紋パターンデータを記憶する記憶装置と、地紋パターンデータにおける複数のパターン組合せから、印刷対象画像に応じたパターン組合せを選択する地紋設定部と、地紋設定部により選択されたパターン組合せによる潜像部パターンおよび背景部パターンで潜像を印刷対象画像とともに印刷させる印刷処理部とを備える。そして、地紋設定部は、少なくとも印刷対象画像内の文字濃度および文字色に基づいて、パターン組合せを選択する。
【００１０】
これにより、地紋潜像を形成するための潜像部および背景部の濃度（平均濃度）を複数の濃度から選択することができ、原本上の文字の判読の妨げにならないように適切な地紋潜像を背景に形成することができる。また、原本上の文字の判読の妨げにならないように適切な地紋潜像の濃度が選択される。
【００１５】
また、本発明に係る画像形成装置は、上記の画像形成装置に加え、次のようにしてもよい。この場合、潜像部パターンは、濃度が高いほどドット数が多くなり、背景部パターンは、濃度が高いほどドットサイズが大きくなる。
【００１６】
これにより、複写物において潜像が浮き出るようにしつつ、複数の濃度についての潜像部パターンおよび背景部パターンの組合せを設定することができる。
【００１７】
また、本発明に係る画像形成装置は、上記の画像形成装置のいずれかに加え、次のようにしてもよい。この場合、地紋パターンデータは、当該画像形成装置において印刷に使用可能な印刷色材の１または複数の色のそれぞれについて、複数の濃度のそれぞれに対応するパターン組合せを有する。
【００１８】
また、本発明に係る画像形成装置は、上記の画像形成装置のいずれかに加え、次のようにしてもよい。この場合、画像形成装置は、地紋パターンデータ生成部をさらに備える。地紋パターンデータ生成部は、濃度の異なる複数の潜像部ドットパターンのパッチ画像と濃度の異なる複数の背景部ドットパターンのパッチ画像とを印刷用紙に印刷させ、印刷用紙に印刷された複数の潜像部ドットパターンのパッチ画像と複数の背景部ドットパターンのパッチ画像とを画像スキャンさせ、画像スキャンにより得られたパッチ画像の濃度に基づいて、印刷時に視覚上同一濃度として認識される潜像部ドットパターンと背景部ドットパターンとのパターン組合せを複数の濃度について特定し、特定した複数のパターン組合せを地紋パターンデータとする。
【００１９】
これにより、各画像形成装置の特性の機体差に合わせて潜像部ドットパターンと背景部ドットパターンが選択されパターン組合せが特定されるため、原本上において潜像部と背景部との濃度差が小さくなり、より潜像が目立たなくなる。
【００２０】
本発明に係る地紋印刷方法は、所定の複数の濃度のそれぞれに対応する潜像部ドットパターンと背景部ドットパターンとのパターン組合せを有する地紋パターンデータにおける複数のパターン組合せから、印刷対象画像に応じたパターン組合せを選択する地紋設定ステップと、選択したパターン組合せによる潜像部パターンおよび背景部パターンで潜像を印刷対象画像とともに印刷するステップとを備える。そして、地紋設定ステップでは、少なくとも印刷対象画像内の文字濃度および文字色に基づいて、パターン組合せを選択する。
【００２１】
これにより、地紋潜像を形成するための潜像部および背景部の濃度を複数の濃度から選択することができ、原本上の文字の判読の妨げにならないように適切な地紋潜像を背景に形成することができる。
【発明の効果】
【００２４】
本発明によれば、原本上の文字の判読の妨げにならないように適切な地紋潜像を背景に形成することができる。
【図面の簡単な説明】
【００２５】
【図１】図１は、本発明の実施の形態に係る画像処理装置の一例である画像形成装置を示す斜視図である。
【図２】図２は、図１に示す画像形成装置の構成を示すブロック図である。
【図３】図３は、地紋潜像について説明する図である。
【図４】図４は、図１における地紋パターンデータを説明する図である。
【図５】図５は、図１に示す画像形成装置の、地紋印刷時の動作を説明するフローチャートである。
【図６】図６は、図１に示す画像形成装置の、地紋パターンデータ生成時の動作を説明するフローチャートである。
【図７】図７は、調整用階調パターンの一例を示す図である。
【発明を実施するための形態】
【００２６】
以下、図に基づいて本発明の実施の形態を説明する。
【００２７】
図１は、本発明の実施の形態に係る画像処理装置の一例である画像形成装置を示す斜視図である。図２は、図１に示す画像形成装置１の構成を示すブロック図である。
【００２８】
図１に示す画像形成装置１は、電子写真方式のプリンター機能とスキャナー機能とを有し、図２に示す構成で画像処理を行う。
【００２９】
図２に示すように、この画像形成装置１は、印刷装置１１、画像読取装置１２、操作パネル１３、記憶装置１４、通信装置１５、およびコントローラー１６を有する。
【００３０】
印刷装置１１は、印刷用画像データに基づいて１ページずつ画像を印刷用紙に電子写真方式で印刷する内部装置である。
【００３１】
また、画像読取装置１２は、例えば、オートドキュメントフィーダー（ＡＤＦ）１２ａで印刷物などの原稿を給紙して、その原稿の画像を１ページずつ光学的に読み取り、各ページ画像の画像データを生成する内部装置である。
【００３２】
また、操作パネル１３は、画像形成装置１の筐体表面に配置され、ユーザーに対して各種情報を表示する表示装置と、ユーザー操作を検出する入力装置とを有する。表示装置としては例えば液晶ディスプレイが使用される。入力装置としては、キースイッチ、タッチパネルなどが使用される。
【００３３】
また、記憶装置１４は、各種データやプログラムを格納可能な装置である。記憶装置１４には、標準階調データ１４ａ、地紋パターンデータ１４ｂなどが記憶されている。記憶装置１４としては、不揮発性メモリー、ハードディスクドライブなどの不揮発性の大容量記憶媒体が使用される。
【００３４】
標準階調データ１４ａは、印刷装置１１で使用される色材の各色について標準の（つまり、地紋潜像以外の）各階調の濃度補正量を示すデータである。
【００３５】
地紋パターンデータ１４ｂは、所定の複数の濃度のそれぞれに対応する潜像部ドットパターンと背景部ドットパターンとのパターン組合せを有するデータである。潜像部ドットパターンは、潜像部分に使用するドットパターンであって、背景部ドットパターンは、潜像部分以外の背景部分（背景部）に使用するドットパターンである。
【００３６】
図３は、地紋潜像について説明する図である。図３（Ａ）は、潜像部１０１の一例を示す図であり、図３（Ｂ）は、潜像部と背景部との境界部分の一例の拡大図である。図３（Ａ）に示すような潜像部１０１には、図３（Ｂ）に示すように背景部（潜像部以外の背景部分）より小さいドットのパターンが印刷される。
【００３７】
図４は、図１における地紋パターンデータ１４ｂを説明する図である。図４に示すように、地紋パターンデータ１４ｂは、例えば３段階の濃度についてのパターン組合せ１２１〜１２３を有する。パターン組合せ１２１は、低濃度の背景部ドットパターン１２１ａと潜像部ドットパターン１２１ｂとからなり、パターン組合せ１２２は、中濃度の背景部ドットパターン１２２ａと潜像部ドットパターン１２２ｂとからなり、パターン組合せ１２３は、高濃度の背景部ドットパターン１２３ａと潜像部ドットパターン１２３ｂとからなる。潜像部パターン１２１ｂ，１２２ｂ，１２３ｂは、濃度が高いほどドット数が多くなり、背景部パターン１２１ａ，１２２ａ，１２３ａは、濃度が高いほどドットサイズが大きくなる。
【００３８】
なお、地紋パターンデータ１４ｂは、当該画像形成装置１において印刷に使用可能な印刷色材の１または複数の色のそれぞれについて、複数の濃度のそれぞれに対応するパターン組合せを有する。例えば、ＣＭＹＫ４色の色材が印刷に使用可能である場合には、ＣＭＹＫ４色のそれぞれの色について３段階の濃度についてのパターン組合せが地紋パターンデータ１４ｂに含まれる。
【００３９】
また、通信装置１５は、図示せぬコンピューターネットワークに接続され、そのネットワークに接続された他の装置（ホスト装置など）とデータ通信を行う回路である。
【００４０】
また、コントローラー１６は、ＣＰＵ（Central Processing Unit）、ＲＯＭ（Read Only Memory）、ＲＡＭ（Random Access Memory）などを有し、ＲＯＭや記憶装置１４などからＲＡＭへプログラムをロードし、そのプログラムをＣＰＵで実行することにより、各種処理部を実現する。この実施の形態では、コントローラー１６において、印刷処理部２１、スキャン処理部２２、ジョブ管理部２３、地紋設定部２４、および地紋パターンデータ生成部２５が実現される。
【００４１】
印刷処理部２１は、印刷用画像データに基づいて印刷データを生成して印刷装置１１に供給し、印刷を実行させる。印刷用画像データは、ラスター画像データである。印刷データは、例えば、ハーフトーニングなどの画像処理により印刷用画像データから得られるデータである。印刷処理部２１は、地紋設定部２４により選択されたパターン組合せによる潜像部パターンおよび背景部パターンで潜像を印刷対象画像とともに印刷させる。
【００４２】
スキャン処理部２２は、画像読取装置１２を制御して、ＡＤＦ１２ａで原稿を自動給紙して原稿の画像をページごとに読み取らせ、各ページ画像のラスター画像データを生成する。
【００４３】
ジョブ管理部２３は、通信装置１５を介して図示せぬホスト装置から受信されたジョブ要求および操作パネル１３に対するユーザー操作に基づくジョブ要求を受け付け、印刷処理部２１、スキャン処理部２２などを使用して、受け付けたジョブを実行する。
【００４４】
地紋設定部２４は、地紋パターンデータ１４ｂにおける複数のパターン組合せから、印刷対象画像に応じたパターン組合せを選択する。
【００４５】
この実施の形態では、地紋設定部２４は、モノクロ印刷の場合、印刷対象画像内の文字濃度に基づいてパターン組合せを選択し、カラー印刷の場合、印刷対象画像内の文字濃度および文字色に基づいてパターン組合せを選択する。文字濃度および文字色は、画像データにおける文字部分の画素値から得られる。
【００４６】
地紋パターンデータ生成部２５は、濃度の異なる複数の潜像部ドットパターンのパッチ画像と濃度の異なる複数の背景部ドットパターンのパッチ画像とを印刷用紙に印刷させ、印刷用紙に印刷された複数の潜像部ドットパターンのパッチ画像と複数の背景部ドットパターンのパッチ画像とを画像スキャンさせ、画像スキャンにより得られたパッチ画像の濃度に基づいて、印刷時に視覚上同一濃度として認識される潜像部ドットパターンと背景部ドットパターンとのパターン組合せを複数の濃度について特定し、特定した複数のパターン組合せを地紋パターンデータとする。
【００４７】
次に、上記画像形成装置の動作について説明する。
【００４８】
ここでは、地紋印刷時の画像形成装置の動作と、地紋パターンデータ生成時の画像形成装置の動作とを説明する。
【００４９】
（１）地紋印刷
【００５０】
図５は、図１に示す画像形成装置の、地紋印刷時の動作を説明するフローチャートである。
【００５１】
ジョブ管理部２３は、通信装置１５を介してホスト装置などから印刷要求（ＰＤＬ（page Description Language）データなど）を受信すると（ステップＳ１）、その印刷要求に基づいて印刷物に地紋潜像を付加するか否かを判定する（ステップＳ２）。
【００５２】
その印刷要求において地紋潜像の付加が指示されていない場合、ジョブ管理部２３は、その印刷要求についての印刷ジョブを印刷処理部２１に実行させる。印刷処理部２１は、その印刷要求から印刷データを生成し印刷装置１１を制御して、地紋潜像なしで印刷対象画像の印刷を実行させる（ステップＳ３）。
【００５３】
一方、その印刷要求において地紋潜像の付加が指示されている場合、ジョブ管理部２３は、その印刷要求に基づいて、カラー文書の印刷要求か否かを判定し（ステップＳ４）、カラー文書の印刷要求の場合、カラー印刷が指定されているか否かを判定する（ステップＳ５）。
【００５４】
カラー印刷が指定されている場合、地紋設定部２４は、その印刷要求から生成される印刷対象画像内の文字の色および濃度を特定し（ステップＳ６）、地紋パターンデータ１４ｂにおけるパターン組合せから、その特定した色および濃度に応じた色および濃度のパターン組合せを選択する（ステップＳ７）。そして、印刷処理部２１は、その印刷要求に基づく印刷対象画像とともに、その印刷対象画像の背景に、選択されたパターン組合せで地紋潜像を印刷するための印刷データを生成し、印刷装置１１を制御して、地紋潜像ありで印刷対象画像の印刷を実行させる（ステップＳ８）。
【００５５】
例えば、印刷対象画像内に、中濃度の赤い文字と高濃度の黒い文字が存在する場合、赤い文字の視認性を確保するためにシアン色かブラック色が好ましく、かつ黒い文字に対してシアン色が好ましいので、シアン色の高濃度のパターン組合せが選択される。ただし、ブラック色でも、赤い文字の視認性が確保され、文字より濃度が低ければ使用可能であるので、ブラック色の中濃度のパターン組合せが選択されるようにしてもよい。なお、複数のパターン組合せが使用可能な場合、複写時に潜像をより強く浮き出させるために、濃度の最も高いパターン組合せが使用される。
【００５６】
一方、カラー文書の印刷要求ではない場合（つまり、モノクロ文書の印刷要求の場合）、地紋設定部２４は、そのモノクロ文書の印刷対象画像内の文字の濃度を特定し（ステップＳ１０）、地紋パターンデータ１４ｂにおけるパターン組合せから、モノクロ印刷時におけるその濃度に応じた濃度のパターン組合せを選択する（ステップＳ１１）。印刷処理部２１は、その印刷要求に基づく印刷対象画像とともに、その印刷対象画像の背景に、選択されたパターン組合せで地紋潜像を印刷するための印刷データを生成し、印刷装置１１を制御して、地紋潜像ありで印刷対象画像の印刷を実行させる（ステップＳ８）。
【００５７】
また、カラー文書の印刷要求であるが、カラー印刷が指定されていない場合（つまり、モノクロ印刷が指定されている場合）、ジョブ管理部２３は、図示せぬ画像処理部によりカラー文書をモノクロ文書に変換させ（ステップＳ９）、モノクロ文書の場合と同様にして、地紋潜像ありで印刷対象画像の印刷を実行させる（ステップＳ１０，Ｓ１１）。
【００５８】
なお、モノクロ印刷の場合でも、文字濃度より低い複数のパターン組合せが使用可能であるときには、複写時に潜像をより強く浮き出させるために、濃度の最も高いパターン組合せが使用される。
【００５９】
このようにして、印刷対象画像内の文字の濃度などに適した濃度の地紋パターンが選択され、地紋潜像が背景に形成される。
【００６０】
（２）地紋パターンデータの生成
【００６１】
図６は、図１に示す画像形成装置の、地紋パターンデータ生成時の動作を説明するフローチャートである。
【００６２】
地紋パターンデータ１４ｂを初期登録または更新する場合、ユーザーまたはサービスパーソンは、操作パネル１３に対して所定の操作を行う。ジョブ管理部２３は、その操作を受け付けると、地紋パターンデータ生成部２５に地紋パターンデータ１４ｂの生成を行わせる。
【００６３】
地紋パターンデータ生成部２５は、まず、調整用階調パターンを、印刷処理部２１および印刷装置１１を使用して印刷用紙に印刷させる（ステップＳ２１）。調整用階調パターンには、平均濃度の異なる複数の潜像部ドットパターンのパッチ画像と平均濃度の異なる複数の背景部ドットパターンのパッチ画像とが含まれている。
【００６４】
図７は、調整用階調パターンの一例を示す図である。図７において、階調パターン１４１は、地紋潜像以外の通常の印刷に使用される標準的な各階調の濃度調整用の（つまり、標準階調データ１４ａを生成するための）パッチ画像列であって、使用される色材（ここでは、ＣＭＹＫ４色）のそれぞれに対応するパッチ画像列１４１Ｃ，１４１Ｍ，１４１Ｙ，１４１Ｋを有する。階調パターン１４２は、背景部の濃度調整用のパッチ画像列であって、使用される色材（ここでは、ＣＭＹＫ４色）のそれぞれに対応するパッチ画像列１４２Ｃ，１４２Ｍ，１４２Ｙ，１４２Ｋを有する。階調パターン１４２内の各濃度のパッチ画像は、その濃度に対応するドットパターン（図４参照）で印刷される。階調パターン１４３は、潜像部の濃度調整用のパッチ画像列であって、使用される色材（ここでは、ＣＭＹＫ４色）のそれぞれに対応するパッチ画像列１４３Ｃ，１４３Ｍ，１４３Ｙ，１４３Ｋを有する。階調パターン１４３内の各濃度のパッチ画像は、その濃度に対応するドットパターン（図４参照）で印刷される。
【００６５】
その後、パッチ画像が印刷される印刷用紙がユーザーにより画像読取装置１２に載置され画像スキャン開始の操作が検出されると、地紋パターンデータ生成部２５は、画像読取装置１２に、印刷用紙に印刷された複数の潜像部ドットパターンのパッチ画像と複数の背景部ドットパターンのパッチ画像とを画像スキャンさせる（ステップＳ２２）。
【００６６】
地紋パターンデータ生成部２５は、画像スキャンにより得られた画像データに基づいて各パッチ画像の濃度（平均濃度）を計算し（ステップＳ２３）、各パッチ画像の濃度に基づいて、印刷時に視覚上同一濃度として認識される潜像部ドットパターンと背景部ドットパターンとのパターン組合せを複数の濃度について特定し、特定した複数のパターン組合せを地紋パターンデータとする（ステップＳ２４）。なお、印刷時に視覚上同一濃度として認識される潜像部ドットパターンの平均濃度と背景部ドットパターンの平均濃度との差を示すデータを予め実験などにより求めておき、地紋パターンデータ生成部２５は、そのデータに基づいて上述のパターン組合せを特定する。
【００６７】
そして、地紋パターンデータ生成部２５は、生成した地紋パターンデータを地紋パターンデータ１４ｂとして記憶装置１４に記憶させる（ステップＳ２５）。
【００６８】
以上のように、上記実施の形態によれば、記憶装置１４は、所定の複数の濃度のそれぞれに対応する潜像部ドットパターンと背景部ドットパターンとのパターン組合せを有する地紋パターンデータ１４ｂを記憶している。地紋設定部２４は、地紋パターンデータにおける複数のパターン組合せから、印刷ジョブによる印刷対象画像に応じたパターン組合せを選択し、印刷処理部２１は、選択されたパターン組合せによる潜像部パターンおよび背景部パターンで潜像を印刷対象画像とともに印刷させる。
【００６９】
これにより、地紋潜像を形成するための潜像部および背景部の濃度を複数の濃度から選択することができ、原本上の文字の判読の妨げにならないように適切な地紋潜像を背景に形成することができる。
【００７０】
なお、上述の実施の形態は、本発明の好適な例であるが、本発明は、これらに限定されるものではなく、本発明の要旨を逸脱しない範囲において、種々の変形、変更が可能である。
【００７１】
例えば、上記実施の形態においては、潜像部のドットサイズが背景部のドットサイズより小さく設定されているが、上述の潜像部のドットパターンを背景部のドットパターンとして、上述の背景部のドットパターンを潜像部のドットパターンとして使用するようにしてもよい。
【産業上の利用可能性】
【００７２】
本発明は、例えば、プリンター、複写機、複合機などの画像形成装置に適用可能である。
【符号の説明】
【００７３】
１  画像形成装置
１４  記憶装置
１４ｂ  地紋パターンデータ
２１  印刷処理部
２４  地紋設定部
２５  地紋パターンデータ生成部
１０１  潜像部
１２１，１２２，１２３  パターン組合せ
【図１】
0005649493.tif 000002
【図２】
0005649493.tif 000003
【図３】
0005649493.tif 000004
【図４】
0005649493.tif 000005
【図５】
0005649493.tif 000006
【図６】
0005649493.tif 000007
【図７】
0005649493.tif 000008